(57)【要約】      （修正有）【課題】コンビニ等で起る犯罪発生を抑止する情報処理システムを提供する。【解決手段】予め個人情報等を記憶しているＩＣタグを携帯電話機に内蔵しておき、コンビニ等の出入口に前記ＩＣタグから個人情報を読み取るＩＣタグリーダを備えるシステムで構成される。また、コンビニ等で商品を購入するとレジ近辺に備え付けられているＩＣタグリーダが購入者の個人情報をＩＣタグから読み出し、レジに入力された商品情報と共に記憶するように構成されている。これにより、コンビニ等にどのような人が入退室したか把握することができ、犯罪が起こってもその犯罪が起こった時間帯に店内に誰が居たのか個人情報を基に調査することで特定することができる。また、コンビニ等の店の近くで犯罪等が起こった場合でも、過去に誰がどのような商品を買ったか記録することができ、犯罪等に使われた凶器などから犯罪が起こった場所近辺の店の購入履歴を調べることが可能である。【選択図】図８
2005339359.tif 000002
【特許請求の範囲】
【請求項１】
ICタグを内蔵した携帯電話機と、前記ICタグを読み取るICタグリーダと、前記ICタグリーダにICタグの情報を指示及び商品の金額等を入力できる会計装置と、前記会計装置で収集した情報を管理する管理端末を含む情報処理システムにおいて、
前記会計装置は、ICタグに含まれる個人情報を読み取るようにICタグリーダへ指示を行い、前記ICタグリーダが読み取った個人情報と当該会計装置の使用者から入力された商品の購入履歴とを対応づけて記憶を行い、当該記憶を行なった情報を当該会計装置を管理している管理端末へ送信することを特徴とする情報処理システム。
【発明の詳細な説明】
【技術分野】
【０００１】
本発明は、コンビニやスーパーで起こる犯罪を抑止しする情報処理システムに関するものである。
【背景技術】
【０００２】
従来、コンビニやスーパー等では犯罪に備え店内に防犯カメラ等を設置し24時間店内の監視を行なっている。
【発明の開示】
【発明が解決しようとする課題】
【０００３】
従来の防犯カメラ等を用いて監視を行なう場合、犯罪が起きた時に犯人の静止画像又は動画像は撮影できるが、犯人を特定するための個人情報までは得ることができない。このため、犯罪が起きた時には監視カメラで撮影した静止画像又は動画像を確認したり、犯罪が起きた場所近辺で聞き込み調査等を行って犯人を特定するため、犯人を特定するのに時間を要していた。
また、コンビニやスーパー等の近くで犯罪が起きた場合には、犯人が使用した凶器を基に、犯罪が起こった場所近辺のコンビニやスーパー等で誰がどのような商品を購入したか調査する必要があるが、コンビニやスーパー等では年齢や性別等様々な人が出入りするため、誰がどのような商品を購入したのか分からず、犯人が使用した凶器等からレシートの記録を頼りに調査しなければならないため犯人を特定するのに時間を要していた。
【課題を解決するための手段】
【０００４】
上記課題を解決する本発明は、ICタグを内蔵した携帯電話機と、前記ICタグを読み取るICタグリーダと、前記ICタグリーダにICタグの情報を指示及び商品の金額等を入力できる会計装置と、前記会計装置で収集した情報を管理する管理端末を含む情報処理システムにおいて、
前記会計装置は、ICタグに含まれる個人情報を読み取るようにICタグリーダへ指示を行い、前記ICタグリーダが読み取った個人情報と当該会計装置の使用者から入力された商品の購入履歴とを対応づけて記憶を行い、当該記憶を行なった情報を当該会計装置を管理している管理端末へ送信することを特徴とする情報処理システムとすることで、犯罪が起こった場合でも誰がどのような商品を購入したか把握できるシステムである。
【発明の効果】
【０００５】
本発明は、予め個人情報等を記憶しているＩＣタグを日常持ち歩く携帯電話機に内蔵しておき、コンビニやスーパー等の出入口に前記ＩＣタグから個人情報を読み取ることができるＩＣタグリーダを備えるシステムで構成される。また、コンビニやスーパー等で商品を購入するとレジ近辺に備え付けられているＩＣタグリーダが購入者の個人情報をＩＣタグから読み出し、レジに入力された商品情報と共に記憶するように構成されている。
本発明はこのような構成にすることにより、コンビニやスーパー等にどのような人が入退室したか把握することができ、犯罪が起こってもその犯罪が起こった時間帯に店内に誰が居たのか個人情報を基に調査することで特定することができるものである。
また、コンビニやスーパー等の店の近くで犯罪等が起こった場合であっても、過去に誰がどのような商品を買ったか記録することができるため、犯罪等に使われた凶器などから犯罪が起こった場所近辺の店の購入履歴を調べることで犯人を容易に特定することが可能であるという利点がある。
【発明を実施するための最良の形態】
【０００６】
本発明の一実施の形態を図面を参照しながら説明する。ここでは、例として携帯電話機の契約時に登録する個人情報（例えば、名前、生年月日、住所、電話番号等）をＩＣタグに個人情報として記憶させ、携帯電話機購入時に前記ＩＣタグを携帯電話機に内蔵してある携帯電話機を使用した情報処理システムについて説明を行なっていく。
【０００７】
実施例１について図面を用いて説明していく。
図１は本発明の情報処理システムを示した図である。該情報処理システムは、ＩＣタグが内蔵されている携帯電話機１、該携帯電話機に内蔵されているＩＣタグの個人情報を読み取るＩＣタグリーダ２、該ＩＣタグリーダ２で読み取った個人情報を入退室の時間情報と共に記憶しておく管理端末３とから構成されている。
図２の(a)にＩＣタグが内蔵されている携帯電話機１の構成を示している。携帯電話機１は、従来の携帯電話機と同様の構成で、使用者の指示を入力する入力部２-５、使用者からの入力内容や携帯電話機の記憶部２−２に記憶されている情報を使用者からの入力指示に応じて表示を行う表示部２−４、他の携帯電話機と通信を行う通信部２−１、各機能部の制御を行なう制御部２−３とから構成されている。携帯電話機１には、外部からＩＣタグに記憶されている個人情報を書き換えできないように携帯電話機１の内部に内蔵されている。
図２の(b)には、携帯電話機１に内蔵されているＩＣタグの個人情報を読み取るＩＣタグリーダ２の構成を示している。携帯電話機１に内蔵されているＩＣタグの個人情報を読み取るＩＣタグリーダは、ＩＣタグが内蔵された携帯電話機１が入室したのか退室したのかを検出する入退室検出部３−４、ＩＣタグと通信を行う通信部３−５、該通信部３−５により読み取った個人情報と入退室情報を対応づけて記憶を行なう記憶部３−２、該記憶部３−２に記憶した情報を管理端末３へ送信する送信部３−１と、各機能部の制御を行なう制御部３−３から構成されている。
図２の(c)には、ＩＣタグリーダ２から送信されてきた情報を記憶する管理端末３の構成を示している。管理端末３はＩＣタグリーダから送信された個人情報と入退室の情報を受信する受信部４−４、情報を受信した日時と受信した情報とを対応付けて記憶する記憶部４−５、使用者からの入力を受け付ける入力部４−１、記憶している情報の表示を行う表示部４−２、各機能部を制御する制御部４−３とから構成されている。
【０００８】
本発明の情報処理システムは、上記で述べたような構成となっている。次に、実際に情報処理システムの処理の流れを図を用いて説明を行なっていく。本実施例では、店へＩＣタグが内蔵されている携帯電話機１を所有している客が入退室した場合の処理の流れについて説明を行なっていく。
図３に示したフローチャートは、店へＩＣタグが内蔵されている携帯電話機１を所有している客が入室した場合の処理の流れを示したものである。客が店へ入る場合は、店の出入口に設置されているＩＣタグリーダ２が携帯電話機１に内蔵されているＩＣタグへ個人情報をＩＣタグリーダ２へ送信するように指示を出す（S３０１）。次に、ＩＣタグがＩＣタグリーダ２からの指示を受信する（S３０２）。S３０２のＩＣタグリーダ２の指示により、ＩＣタグはＩＣタグ内に記憶されている個人情報をＩＣタグリーダへ２送信する（S３０３）。S３０３でＩＣタグが送信した個人情報をＩＣタグリーダ２が受信するとＩＣタグリーダ２は、ＩＣタグリーダ２の記憶部３−２の中に入室という情報と対応付けて個人情報の記憶を行なう（S３０４）。ここで本実施例では、記憶部３−２には図７に示すように入退室情報が個人情報に対応付けられて記憶されるものとする。次に、S３０４で記憶された情報は、管理端末３へ送信される（S３０５）。S３０５で送信された情報は管理端末３で受信され、管理端末３の記憶部４−５に受信した情報と情報を受信した日時とを対応付けて記憶する（S３０６）。S３０１からS３０６までが、店へＩＣタグが内蔵されている携帯電話機１を所有している客が入室した場合の処理の流れを示したものである。
【０００９】
次に図４のフローチャートを用いて、店からＩＣタグが内蔵されている携帯電話機１を所有している客が退室した場合の処理の流れを示したものである。客が店を出る場合は、店の出入口に設置されているＩＣタグリーダ２が携帯電話機１に内蔵されているＩＣタグへ個人情報をＩＣタグリーダ２へ送信するように指示を出す（S４０１）。次に、ＩＣタグがＩＣタグリーダ２からの指示を受信する（S４０２）。S４０２のＩＣタグの指示により、ＩＣタグはＩＣタグ内に記憶されている個人情報をＩＣタグリーダ２へ送信する（S４０３）。S４０３でＩＣタグが送信した個人情報をＩＣタグリーダ２が受信するとＩＣタグリーダ２は、ＩＣタグリーダ２の記憶部３−２の中に退室という情報と対応付けて個人情報の記憶を行なう（S４０４）。ここで、本実施例は、図７に示すように入退室情報が個人情報に対応付けられて記憶されているものとする。次に、S４０４で記憶された情報は、管理端末３へ送信される（S４０５）。S４０５で送信された情報は、管理端末３で受信され管理端末３の記憶部４−５に情報を受信した日時と受信した情報を対応付けて記憶する（S４０６）。S４０１からS４０６までが、店へＩＣタグが内蔵されている携帯電話機１を所有している客が退室した場合の処理の流れを示したものである。
【００１０】
次に、上記のS３０４及びS４０４で入室及び退室をどのように判断しているのか説明を行なっていく。本実施例の入室及び退室の判断は、図５に示すようにＩＣタグリーダ２を２つ以上配置することで対象ＩＣタグの動いている方向の判断を行なっている。図５には、ＩＣタグが１番目のＩＣタグリーダ２に認識され、次に２番目のＩＣタグリーダ２に認識された場合に入室したと判断し、ＩＣタグが２番目のＩＣタグリーダ２に認識され次に１番目のＩＣタグリーダ２に認識された場合に退室と判断されるようになっている。
【００１１】
以上のように、図３、図４及び図５の構成及び処理を行うことで管理端末３には常に誰が何時お店に入室し、退室したのか履歴として残すことができる。これにより、店内で犯罪が起こったとしてもその犯罪が起こった時間帯を管理端末３へ入力することにより、その時間帯に店内に誰が居たのか検索することができ容易に犯人を特定することができる。
また、図６のようにシステムを構築していれば、特定の外部の端末４（例えば、警察などに設置）からも入退室の情報が見ることができるため、外部から容易に調べることができる。
【００１２】
次に、実施例２について説明を行なっていく。実施例１で説明したものについては、実施例１の図面と同じ番号を付して説明を行なっている。
図８は本発明の別の情報処理システムを示した図である。該情報処理システムは、ＩＣタグが内蔵されている携帯電話機１、該携帯電話機１に内蔵されているＩＣタグの個人情報を読み取るＩＣタグリーダ２、該ＩＣタグリーダ２へＩＣタグの情報を読み込むように指示を出し、該ＩＣタグリーダ２が読み取った個人情報及び該ＩＣタグリーダ２が読み取ったＩＣタグ所有者の購入履歴を管理端末３へ送信する会計装置５、該会計装置５から送信された個人情報と購入履歴を対応付けて記憶しておく管理端末３とから構成されている。
図９の（a）にＩＣタグが内蔵されている携帯電話機１の構成を示している。携帯電話機１は、従来の携帯電話機と同様の構成で、使用者の指示を入力する入力部２−５、使用者からの入力内容や携帯電話機の記憶部２−２に記憶されている情報を使用者からの入力指示に応じて表示を行う表示部２−４、他の携帯電話機と通信を行なう通信部２−１、各機能部の制御を行なう制御部２−３とから構成されている。携帯電話機１には、外部からＩＣタグに記憶されている個人情報を書き換えできないように携帯電話機１の内部に内蔵されている。
図９の(b)には、携帯電話機１に内蔵されているＩＣタグの個人情報を読み取るＩＣタグリーダ２の構成を示している。携帯電話機１に内蔵されているＩＣタグの個人情報を読み取るＩＣタグリーダ２は、ＩＣタグと通信を行う通信部３−５、該通信部３−５により読み取った個人情報の記憶を行なう記憶部３−２、該記憶部３−２に記憶した情報を会計装置５へ送信する送信部３−１と、各機能部を制御する制御部３−３から構成されている。
図９の(c)には、ＩＣタグリーダ２へＩＣタグの情報をよみ込むように指示を出し、ＩＣタグリーダ２が読み取った個人情報及び該ＩＣタグリーダ２が読み取ったＩＣタグ所有者の購入履歴を対応付けて管理端末３へ送信する会計装置５の構成を示している。会計装置５には、商品についているバーコードを入力又は店の店員が手入力で商品の金額及び商品の部門を入力する入力部５−５、ＩＣタグリーダ２へ商品を購入中である客のＩＣタグの個人情報を読み取るようにＩＣタグリーダ２へ指示をだすＩＣタグ読み取り指示部５−６、該ＩＣタグリーダ２へ指示を出した後にＩＣタグリーダ２が読み取った個人情報を受信する通信部５−１、該通信部５−１から受信した個人情報と購入履歴とを対応付けて記憶を行なう記憶部５−２、該記憶部５−２に記憶されている個人情報と購入履歴を対応付けた情報を管理端末３へ送信する通信部５−１と、各機能部を制御する制御部５−３から構成されている。
図９の(d)には、会計装置３から送信された個人情報と購入履歴を対応付けて記憶しておく管理端末３の構成を示している。管理端末３は、ICタグリーダ２から送信された個人情報と購入履歴を対応付けた情報を会計装置３から受信する受信部４−４、該情報を受信した日時と該情報を対応付けて記憶する記憶部４−５、使用者からの入力を受け付ける入力部４−１、記憶している情報の表示を行う表示部４−２、各機能部を制御する制御部４−３とから構成されている。
【００１３】
本発明の情報処理システムは、上記で述べたような構成となっている。次に、実際に情報処理システムの処理の流れを図を用いて説明を行なっていく。本実施例では、店でICタグが内蔵されている携帯電話機１を所有している客が商品を購入した場合の処理の流れについて説明を行なっていく。
図１０に示したフローチャートは、店へICタグが内蔵されている携帯電話機１を所有している客が入店し、商品を購入した場合の処理の流れを示したものである。客が商品を購入するためにレジに来ると、店の店員は商品の金額を商品についているバーコードをバーコードリーダ又は金額を見て会計装置５に入力処理を行なう（S１００１）。S１００１で店員が商品の金額の入力が全て完了すると、店員が客のICタグ情報を読み取るために会計装置５に備えられているＩＣタグ読み取り指示部５−６を押下する（S１００２）。S１００２の処理が為されると、会計装置５のＩＣタグ読み取り指示部５−６はICタグリーダ２に対し、ICタグに記憶されている個人情報を読み取るように指示を出す（S１００３）。S１００３の指示を受けたICタグリーダ２はICタグへ個人情報を、ICタグリーダ２へ送信するように指示を出す（S１００４）。次に、ICタグがICタグリーダ２からの指示を受信する（S１００５）。S１００５のICタグリーダ２の指示により、ICタグはICタグ内に記憶されている個人情報をICタグリーダへ送信する（S１００６）。S１００６でICタグが送信した個人情報をICタグリーダ２が受信するとICタグリーダ２は、ICタグリーダ２の記憶部に受信した個人情報を記憶する（S１００７）。次に、S１００７で記憶部に記憶された個人情報は、会計装置５へ送信される（S１００８）。S１００８で送信された個人情報は会計装置５で受信され、受信された情報は会計装置５の記憶部に商品の購入履歴と対応付けられて会計装置５内の記憶部へ記憶される（S１００９）。ここで本実施例では、記憶部には図１１に示すように、商品の全購入履歴に個人情報が対応付けられて記憶されているものとする。次に、S１００９で会計装置５の記憶部に記憶された情報は、会計装置５の情報を管理している管理端末３へ送信される（S１０１０）。S１０１０で送信された情報は管理端末３で受信され、管理端末３の記憶部に情報を受信した日時と受信した情報を対応付けて記憶する（S１０１１）。S１００１からS１０１１までが、店でICタグが内蔵されている携帯電話機１を所有している客が商品を購入した場合の処理の流れを示したものである。
【００１４】
以上のように、図８、図９、図１０の構成及び処理を行なうことで管理端末３には常に誰が何日の何時に店でどのようなものを購入したのか履歴に残すことができる。これにより、店の近辺で犯罪が起こったとしても、犯罪の起こった日時以前の日時を管理端末３に入力し及び犯罪に使われたと思われる商品の名称を入力することにより、犯罪の起こった日時以前に誰が該商品を購入したのか確認することができ、犯人をある程度絞り込むことができる。
また、実施例２の情報処理システムにおいては、常に客の商品の購入履歴が蓄積されていくため、どのような年代の人がどのような商品を購入しているか等のマーケティングシステムとしても利用できる。また実施例２のシステムは、実施例１の図７に示したように、外部端末を設ける構成とすることもでき特定の外部の端末から容易に情報を見ることができるようにすることも可能であるため、外部から容易に調べることができる。
【図面の簡単な説明】
【００１５】
【図１】実施例１の情報処理システム図
【図２（ａ）】ICタグが内蔵されている携帯電話機の構成図
【図２（ｂ）】ICタグリーダの構成
【図２（ｃ）】管理端末の構成
【図３】ICタグ内蔵携帯電話機を所有している人が店内へ入室した場合の処理の流れを示す図
【図４】ICタグ内蔵携帯電話機を所有している人が店内から退室した場合の処理の流れを示す図
【図５】ICタグリーダの入室及び退室の判断方法を示す図
【図６】実施例１の情報処理システムの別の構成図
【図７】ICタグリーダ及び管理端末でのデータ記憶の一例
【図８】実施例２の情報処理システム図
【図９（ａ）】ICタグが内蔵されている携帯電話機の構成図
【図９（ｂ）】ICタグリーダの構成
【図９（ｃ）】会計装置構成図
【図９（ｄ）】管理端末の構成
【図１０】ICタグ内蔵携帯電話機を所有している人が店内へ入室し商品を購入した場合の処理の流れを示す図
【図１１】ICタグリーダ及び管理端末でのデータ記憶の一例
【符号の説明】
【００１６】
１：ICタグが内蔵されている携帯電話機、２：ICタグリーダ、３：管理端末、４：外部端末、５：会計装置
【図１】
2005339359.tif 000003
【図２（ａ）】
2005339359.tif 000004
【図２（ｂ）】
2005339359.tif 000005
【図２（ｃ）】
2005339359.tif 000006
【図３】
2005339359.tif 000007
【図４】
2005339359.tif 000008
【図５】
2005339359.tif 000009
【図６】
2005339359.tif 000010
【図７】
2005339359.tif 000011
【図８】
2005339359.tif 000012
【図９（ａ）】
2005339359.tif 000013
【図９（ｂ）】
2005339359.tif 000014
【図９（ｃ）】
2005339359.tif 000015
【図９（ｄ）】
2005339359.tif 000016
【図１０】
2005339359.tif 000017
【図１１】
2005339359.tif 000018